(57)【要約】【課題】  化粧鏡の設置台数を増やすことにより、鏡同士または鏡と他の器具との間隔が数センチメートルしかない場合でも、安全に照明を交換できるようにすることにある。【解決手段】  鏡と、該鏡の裏面に設けられた前記鏡を支持する裏板と、前記鏡の側方に設けた光源と、光源を覆うカバーと、該光源に電力を供給する電源回路とから構成された照明付き鏡装置において、前記鏡と前記裏板と前記電源回路とで鏡ユニットを構成し、また前記光源と前記カバーとで照明ユニットを構成し、該照明ユニットと前記鏡ユニットとを、左右方向へ移動可能なスライド部材を介して接続すると共に、該スライド部材は前後方向に回動可能とし、前記照明ユニットを前記鏡ユニットに対して斜め外側に引き出し可能とした。【選択図】  図２
2007014756.tif 000002
【特許請求の範囲】
【請求項１】
鏡と、該鏡の裏面に設けられた前記鏡を支持する裏板と、前記鏡の側方に設けた光源と、光源を覆うカバーと、該光源に電力を供給する電源回路とから構成された照明付き鏡装置において、
前記鏡と前記裏板と前記電源回路とで鏡ユニットを構成し、また前記光源と前記カバーとで照明ユニットを構成し、
該照明ユニットと前記鏡ユニットとを、左右方向へ移動可能なスライド部材を介して接続すると共に、該スライド部材は前後方向に回動可能とし、前記照明ユニットを前記鏡ユニットに対して斜め外側に引き出し可能としたことを特徴とした照明付き鏡装置。
【請求項２】
請求項１記載の照明付き鏡装置において、
前記スライド部材は、コイル状のばね本体部と、このばね本体部の接線方向に形成された一対のアーム部と、このアーム部の先端を屈曲した係合部と、を備えたトーションばねとし、
前記照明ユニットの側面に前記ばね本体部を固定すると共に、前記アーム部を前記裏板の側面に設けた孔に前後及び左右方向へ移動可能に挿通したことを特徴とする照明付き鏡装置。
【請求項３】
請求項１又は２記載の照明付き鏡装置において、
前記電源回路から前記光源への電力供給経路が、前記光源から伸びる光源側コードと、前記電源回路から伸びる電源側コードとを接続することにより構成されており、
前記電源側コードの電線長と前記光源側コードの電線長との合計長を、前記鏡ユニット側面から、前記照明ユニットを引き出した際の、この鏡ユニットから前記照明ユニットまでの距離以上とし、
しかも前記電源側コード及び前記光源側コードの途中に、一定以上の長さ引っ張ることができない張力止めを設けたことを特徴とする照明付き鏡装置。
【請求項４】
請求項１乃至請求項３何れか一項記載の照明付き鏡装置において、
前記鏡を左右方向へスライド自在としたことを特徴とする照明付き鏡装置。
【発明の詳細な説明】
【技術分野】
【０００１】
本発明は、照明を備えた鏡装置に係り、特に各種商業施設における洗面所に好適な鏡装置に関する発明である。
【背景技術】
【０００２】
従来、商業施設の洗面所では、洗面器を備えたカウンターの上方に鏡（以下、本発明において洗面所に設けた鏡を「化粧鏡」と称する）を設けることが多い。この化粧鏡には天井に部屋全体を照らす全般照明を設けると共に、鏡の側方又は上下方向に鏡の前に立つ使用者を照らす局部照明を併設する場合が多い。これらの全般照明及び局部照明で用いられる光源の平均的な寿命は、白熱電球で約１０００時間、蛍光灯では約６０００〜８５００時間と云われている。
この洗面所で行う作業として、男性は手洗い、身だしなみを整えたり、歯磨きをする作業を行っているが、女性は男性の作業に加えて化粧を行っている。この化粧は１日に数回行い、しかも１回の所用時間は最低で１乃至２分を要する。しかもこの化粧作業は細かい作業のため、鏡に近づく必要が有る。
一方、前述した洗面所の設計基準である空気調和衛生工学会の規格ＨＡＳＳ２０６−２０００では、「洗面器の平均器具占有時間」を２０秒と規定しており、この時間は洗面に要する時間を想定したものであり、化粧に要する時間を想定していない。そのため、商業施設、特にレジャー施設、スポーツ施設や劇場・映画館等、多数の女性が集まる施設では、鏡が空かないため自分の化粧用コンパクトに付いている鏡で化粧をする人もいる。
この対応策としては、動線上で人と人とが交わらないようにすると共に、洗面器や化粧鏡の設置台数を増やすことが考えられる。
ここで設置台数を増やすに当っては、化粧鏡の側方又は上下方向に設けた局部照明の交換に要するスペースを確保できるかどうかが問題となる。つまり、間口１６００ミリメートルの洗面所にて、従来洗面器が２個設けられていた場所に洗面器をもう１個増やそうとする場合、洗面器間の間隔が７０ミリメートルしかない場合がある。
この問題への解決策として、鏡の背面に照明を設け、しかもこの鏡を左右にスライド自在とし、光源を交換する場合にこの鏡をスライドさせてスペースを確保するものがある（特許文献１参照）。また、前記局部照明の交換スペースを照明の前方向とし、照明を交換する場合、光源の前方に設けたカバーを手前に引き出すものもある（例えば、特許文献２参照）。
ここで、特許文献１では、左右方向へのスライドでは照明の幅だけでも数十ミリメートルあり、洗面器間の間隔が７０ミリメートルしかない場合には光源の交換は不可能である。この場合、特許文献３では、照明交換は照明の前方向への移動であるため、器具同士の間隔が７０ミリメートルであっても対応できるが、照明が鏡に対して斜め前方を向いており、この照明を交換するには、斜め前方にスペースが必要となる。この場合、斜め前方は人が立つ方向であり、仮に工具を持っていた場合、顔のほうに工具が飛んでくることも考えられる。
【０００３】
【特許文献１】特開２００２−０００４１８号
【特許文献２】実開平５−０３９３４３号
【発明の開示】
【発明が解決しようとする課題】
【０００４】
本発明は、上記問題を解決するためになされたもので、本発明の課題は、化粧鏡の設置台数を増やすことにより、鏡同士または鏡と他の器具との間隔が数センチメートルしかない場合でも、安全に照明を交換できるようにすることにある。
【課題を解決するための手段】
【０００５】
上記目的を達成するために請求項１記載の発明によれば、鏡と、該鏡の裏面に設けられた前記鏡を支持する裏板と、前記鏡の側方に設けた光源と、光源を覆うカバーと、該光源に電力を供給する電源回路とから構成された照明付き鏡装置において、前記鏡と前記裏板と前記電源回路とで鏡ユニットを構成し、また前記光源と前記カバーとで照明ユニットを構成し、該照明ユニットと前記鏡ユニットとを、左右方向へ移動可能なスライド部材を介して接続すると共に、該スライド部材は前後方向に回動可能としたことにより、前記照明ユニットを前記鏡ユニットに対して斜め外側に引き出し可能となり、その結果鏡ユニットの側方において、この照明付き鏡装置が設置されている壁面の前方での光源交換時に、照明ユニットを鏡ユニットから取り外すための作業用の空間を形成することが可能となり、前記光源の交換作業を容易に行なうことが可能となる。
【０００６】
また、請求項２記載の発明によれば、請求項１記載の照明付き鏡装置において、前記スライド部材は、コイル状のばね本体部と、このばね本体部の接線方向に形成された一対のアーム部と、このアーム部の先端を屈曲した係合部と、を備えたトーションばねとし、前記照明ユニットの側面に前記ばね本体部を固定すると共に、前記アーム部を前記裏板の側面に設けた孔に前後及び左右方向へ移動可能に挿通したことにより、前記照明ユニットを前記鏡ユニットから引き出す際、前記トーションばねの係合部が前記鏡ユニットの孔と係合することにより、一時的に前記照明ユニットを前記鏡ユニットより引く出せなくなる。該照明ユニットを前記鏡ユニットより外すには、前記トーションばねのアームを持ち、前記ばねの係合部と前記鏡ユニットの孔との係合を解除することにより可能となる。そのため、鏡ユニットから照明ユニットの引出しを安全に行うことができる。
【０００７】
請求項３記載の発明のよれば、請求項１又は２記載の照明付き鏡装置において、前記電源回路から前記光源への電力供給経路が、前記光源から伸びる光源側コードと、前記電源回路から伸びる電源側コードとを接続することにより構成されており、前記電源側コードの電線長と前記光源側コードの電線長との合計長を、前記鏡ユニット側面から、前記照明ユニットを引き出した際の、この鏡ユニットから前記照明ユニットまでの距離以上とし、しかも前記電源側コード及び前記光源側コードの途中に、一定以上の長さ引っ張ることができない張力止めを設けたことを特徴とすることにより、照明ユニットを鏡ユニットから引っ張り出す際の張力が、光源や電源回路に及ぶことがない。そのため、ランプが破損することがない。
【０００８】
請求項４記載の発明のよれば、請求項１乃至請求項３記載の照明付き鏡装置において、
前記鏡を左右方向へスライド自在としたので、光源の交換に要するスペースを削減することができる。
【発明の効果】
【０００９】
本発明によれば、照明付き鏡装置の設置台数を増やし、鏡同士または鏡と他の器具との間隔が数十ミリメートルしかない場合でも、安全に照明を交換できる。その結果、レジャー施設等の商業施設の洗面所の混雑緩和に寄与する有用な発明である。
【発明を実施するための最良の形態】
【００１０】
以下、図面に基づいて、本発明の実施の形態である鏡付き化粧鏡について説明する。
【００１１】
（第１実施形態）
図１は本実施形態での鏡付き化粧棚を示す斜視図であり、図２は図１の斜視図の一部省略部分斜視図であり、図３及び図４は図１の部分断面図を示し、図５は図１において部分的な展開図であり、図６は図１の部品の斜視図である。
【００１２】
図１において、照明付き鏡装置１は、例えば商業施設の洗面所にある、洗面器を備えたカウンター（図示せず）の上方の壁面４に設置するものであり、大人の胸の位置から天井近くまでの長さに達する。さらに照明付き鏡装置１は鏡ユニット２と照明ユニット３とから構成されている。
鏡ユニット２は、使用者を映し出す機能と、照明付き鏡装置１を壁面４へ固定する機能と、外部に設けた洗面所の照明スイッチ（図示せず）から電気を給電し、後述する照明ユニット３の光源としての冷陰極蛍光灯３１へ電力を供給する機能を有している。
【００１３】
図２は図１の鏡ユニット２より鏡１１を取り外した状態を示す一部省略斜視図である。
図２において、電源端子台１２にはＶＶＦケーブル１３が接続されており、該ＶＶＦケーブル１３の他端は洗面所の全般照明用の照明スイッチ（図示せず）に接続されている。この電源端子台１２のＶＶＦケーブル１３の接続端と反対側にはコードを介して２個の電源回路としてのインバータ１４が接続されている。
インバータ１４は、後述する図５の冷陰極蛍光灯３１に、高周波電力を供給するもので、前記光源３１をちらつきのない照明とすることができる。
前述した電源端子台１２及びインバータ１４は、前記鏡ユニット２を壁面４に固定するための裏板１６に固定されている。
裏板１６は、上下の数箇所に壁面へ固定するためのビス穴を有する１枚の金属板からなり、この裏板１６の上及び下端に、それぞれ上枠１８、下枠１９をビスにより取り付ける。この上枠１８及び下枠１９は上下から挟み込むことにより鏡１１を固定する。
前記インバータ１４で発生した高周波電力は、電源側コードである中継コード１５により冷陰極蛍光灯３１に供給する。
【００１４】
中継コード１５は２本のコードの両端にそれぞれコネクタ１５−１、１５−２を有する。コネクタ１５−１は、インバータ１４に設けた雄コネクタ１４−１に接続するための雌コネクタ１５−１であり、他方のコネクタ１５−２は、後述する光源３１から伸びた光源側コード３１−１に設けた雄コネクタ３１−２に接続するための雌コネクタ１５−２である。
さらに中継コード１５は、張力止めとして設けられた複数個のコードフック１５−３により、２本のコードが裏板に固定される。それにより、中継コード１５の雌コネクタ１５−２に対して照明ユニット３側の光源側コード３１−１の雄コネクタ３１−２が接続されている状態で、照明ユニット３を無理に引っ張っても、前記コードフック１５−３によりインバータ１４にかかる張力を低減することができる。
【００１５】
裏板１６の側面下方には１組の略直角の起立片からなる挿通金具１６−１を設けている。この金具１６−１は図５に記載する略くの字状のトーションばね３９のアーム３９−２が摺動自在に移動する。
また、裏板１６の上方には照明ユニット３の鏡ユニット２からの落下を防ぐための落下防止金具２３が設けてある。この金具２３は、一端が圧着端子形状をしており、そして他端には球形状をした固定具が形成され、両者を金属製のワイヤーで固定している。そして、この圧着端子が裏板１６に接続され、ワイヤーの一部と球形状の固定具が照明ユニット３側に突出している。その結果、後述する照明ユニットホルダーの鏡側の側部に設けた落下防止金具係合部４０と係合することにより鏡ユニット２に対して照明ユニット３を支持することが出来る。
【００１６】
ここで、図３は下枠１９の断面図、図４は上枠１８の断面図を示す。
下枠１９、上枠１８は、奥側（図面上では右側）が、図１の壁４に照明付き鏡装置１を固定するための裏板１６に取り付けられ、裏板１６の手前側（図面上では左側）である前側は、鏡１１を上下から支持する凹部１７であり、裏板１６と凹部１７の間には空間２１を設けており、この空間２１に図２に示すように電源端子１２やインバータ１４等を格納すると共に、図１に示した照明ユニット３を横（図面上では手前から図面に向かって）から挿入できるようになっている。
さらに、図４の上枠１８には、照明ユニット３を取り付け後の上下方向のガタつきを吸収するために、照明ユニットを下枠側に押し付ける略く字状の板ばね２２を、空間２１の左右端で、照明ユニット３が嵌り込む位置に設けている。また、下枠１９の照明ユニット３が嵌り込む位置に、照明ユニット３を鏡ユニット２に固定するためのビス（図示せず）を設けている。その結果、図５において後述する照明ユニットホルダー３３の上端が、前記板ばねの屈曲部に当接することで、照明ユニット３を鏡ユニット２に強固に固定することができる。
【００１７】
図５は照明付き鏡装置１より取り外した照明ユニット３の展開図を表す。
照明ユニット３は、鏡ユニット２の左右に２個配置している。しかも、この照明ユニット３は、コネクタ３１−２を有する片側３本の冷陰極蛍光灯３１と、この冷陰極蛍光灯３１が発する光を前方へ導くための反射板３２と、前記冷陰極蛍光灯３１及び反射板３２を前記照明ユニット３に保持する照明ユニットホルダー３３と、該照明ユニットホルダー３３に前記冷陰極蛍光灯３１を固定・保持するためのランプホルダー３４と、冷陰極蛍光灯３１の前方には冷陰極蛍光灯３１より反射板を介して拡散された光を均一に拡散するための乳白色の透光カバー３５とからなる。
光源冷陰極蛍光灯３１は、図６に示すゴム製のランプホルダー３４により上下方向に係止されており、さらにランプホルダー３４が反射板３２を貫通して照明ユニットホルダー３３に係止している。
【００１８】
冷陰極蛍光灯３１は、液晶パネルのバックライトとして用いられる照明で、電極に高電圧をかけると予熱なしに放電することができる。また管径が４ミリメートル程度で、高い輝度を得ることが出来き、通常の蛍光灯より低消費電力で、寿命が２万時間あるため、通常の蛍光灯である熱陰極蛍光灯よりメリットが多い。この冷陰極蛍光灯３１は、ガラス製の蛍光管の両端に、管の内部に導入したガスを封止するためのランプキャップを設け、このキャップにコード３１−１を介して、コネクタ３１−２に接続している。
本実施形態では、片側３本の冷陰極蛍光灯３１を、設置状態で上から１本目の蛍光灯３１の下端より上下方向での上方の位置で、しかも上から１本目の蛍光灯より鏡側とは反対側に、設置状態で上から２本目の蛍光灯が配置しており、さらに設置状態で上から２本目の蛍光灯３１の下端より上下方向での上方の位置で、しかも上から２本目の蛍光灯の鏡側に３本目の蛍光灯３１を配置している。このように段違いに冷陰極蛍光灯３１を配置することにより、その３本の冷陰極蛍光灯の重複する区間の長さを調整すれば、異なる器具の長さでも対応できるようにしている。これにより、ランプキャップ付近が光を発しないため生じる暗がりを解消することが出来る。
【００１９】
反射板３２は、断面がすり鉢状な縦長状に形成され、拡がった面を前方向に向けている金属板に光を反射する塗料を塗っている。また、すり鉢状の底面が照明ユニットホルダー３３にはまり込んでおり、しかも、反射板３２及び照明ユニットホルダー３３は同じ位置に貫通穴が形成され、この穴をランプホルダー３４が挿通するように形成されている。
【００２０】
照明ユニットホルダー３３は、断面略コ字状に形成された金属板でできており、該ホルダー３３の凹部に反射板３２が嵌り込むように形成されている。また、該ホルダー３３の取付時の壁面側に、透光カバー３５をビスで固定できるようになっている。
【００２１】
前記反射板３２及び照明ユニットホルダー３４には、前記冷陰極蛍光灯３１のコード３１−１及びコネクタ３１−２を、前記照明ユニット３の側面に出すための切り欠き３７を設けている。さらに、照明ユニットホルダー３４の、鏡ユニット２側の側面には、コード３１−１の固定用のコードクランプ（図示せず）が固定されている。このクランプは張力止めとして機能するものであり、コード３１−１を反射板３２に固定することにより、冷陰極蛍光灯３１のコネクタ３１−２を中継コードのコネクタ１５−２に固定した状態で、照明ユニット３を引っ張ったとき、コード３１−１を通じて冷陰極蛍光灯３１の端部に生じる張力を防ぐことができる。
【００２２】
透光カバー３５は、断面略コ字状であり、開口部に照明ユニットホルダー３３が嵌り込むようになっている。壁４取り付け面と反対側は乳白色の透光面であり、透光面の内面にはランプホルダー３４により係合する冷陰極蛍光灯３１が反射板３２の手前側に配置されており、しかも透光面の内面又は外面にシボ加工が施されており、蛍光灯３１より発せられた光が反射板３２により拡散され、さらに透光面のシボ加工により乱反射した光が透光面を介してさらに均一に拡散するようになっている。
【００２３】
さらに、図７は照明ユニット３の下方を示したものであり、照明ユニットホルダー３３側面下部にU字溝３３−１を設けており、この溝３３−１にトーションばね３９が係合するようになっている。
このトーションばね３９はコイル状のばね本体部３９−１と、ばね本体部の接線方向に形成された２個のアーム部３９−２と、このアーム部の先端に設けた曲率を有する係合部３９−３とから構成されている。
このばね本体部３９−１が照明ユニットホルダー３３のU字溝３３−１に回転自在に係合しており、アーム部３９−２が図２に示した裏板の挿通溝１６−１を挿通することにより、トーションばね３９が挿通溝１６−１に対して摺動自在となる。さらにトーションばね３９を最大に引き出したとき、係合部３９−３の端部とアーム部３９−２との隙間が挿通溝１６−１にはまり込むが、アーム部３９−２が挿通溝１６−１に当接したときの壁４との水平方向の角度（約３０度）トーションばね３９は回動可能である。そのため、鏡ユニット２から照明ユニット３を斜め前方に引き出しても、U字溝３３−１にトーションばねのばね本体部３９−１が係合したまま、アーム部３９−２が壁面と並行なときから挿通溝１６−１に当接するまでの角度について、照明ユニット３は鏡ユニット２に対して斜め外側に引き出すことができる。
一方、照明ユニット３を鏡ユニット２から外すためには、トーションばね３９のアーム部３９−２を押圧することにより、アーム部３９−２が縮小され、トーションばね３９が裏板１６の挿通溝との係合を解除することで可能となる。
尚、照明ユニットホルダー３３の側方であり、設置したとき鏡ユニット２と相対する面に、裏板１６に設けたコードフック１５−３と同様の機能を有するコードフック４１を設けていおり、使用者が鏡ユニット２から照明ユニット３を力一杯引き出した際にランプ３１にかかる張力を低減することができる。
【００２４】
落下防止金具係合部４０は、照明ユニット３の上方を示した図８に示すように、照明ユニットホルダー３３側面上方に形成されている。該係合部４０は、縦長形状の平板部の両端を２回折り返した形状であり、上下方向に１組のレール４０−２が形成されており、該レールの下端に円形の穴４０−１が形成されている。しかも、該レール４０−２は、落下防止金具２５のワイヤーが挿通できる間隔となっており、前記円形の穴は、落下防止金具２５の球部が挿通できるようになっている。
【００２５】
落下防止金具２５と落下防止金具係合部４０との係合順序は次のとおりである。落下防止金具の球形状の固定具と挿通部４０の円形の穴４０−１を通し、その後、落下防止金具２５を引き上げるとレール４０−２をワイヤーが挿通する。仮にトーションばね３９が挿通溝１６−１との係合していない場合、落下防止金具係合部４０のレール４０−２に落下防止金具２５の球形状の固定具が挟まり固定できる。その結果、前記落下防止金具２５と落下防止金具係合部４０とが係合することにより、照明ユニット３の自重を鏡ユニット２が支えることができるように形成されている。
尚、図８の正面である、鏡ユニット２と相対する面に、裏板１６に設けたコードフック１５−３と同様の機能を有するコードフック４１を設けていおり、使用者が鏡ユニット２から照明ユニット３を力一杯引き出した際にランプ３１にかかる張力を低減することができる。
【００２６】
以上より、トーションばね３９と落下防止金具２５により、照明ユニットの外側の器具との隙間が７十ミリメートルしかない場合でも、トーションばね３９の本体部３９−１がU字溝に係合し、しかもトーションバネのアーム部３９−２が裏板１６の挿通溝に係合した状態を維持しているため、照明ユニットを本体より斜め外側へ引き出しても、ランプ３１を交換することが出来る。。
【００２７】
図６はランプホルダー３４の斜視図である。
ランプホルダー３４は、ゴム製で、上面に２個の円筒形状の切り欠きがあり、さらにこの切り欠きの中心に直方体形状の穴がある。底部には２本の脚があり、その側面には曲率部があり、この曲率部が反射板３２に当接する。
上面に２本の切り欠きには、冷陰極蛍光灯３１が嵌るようになっている。また、この切り欠きは片面の照明ユニット２で４個あり、上下の２本の冷陰極管蛍光灯３１を垂直状態に保持するようになっている。
さらに、この脚が反射板３２の穴を突き抜け、さらに照明ユニットホルダー３３の穴を突き抜け、ランプホルダー３４の底面を反射板３２に係止するようになっている。
【００２８】
次に鏡１１の取替方法を以下に記す。
鏡１１は上枠１８と下枠１９とで支持されている。この鏡１１を交換する場合は、図４に示すように、上枠１８を裏板１６に固定しているネジ２５を緩めることにより、上枠１８を裏板１６から外す。その後、鏡１１を斜め上方へ引き上げることにより、鏡１１の下端が下枠の凹部１７から外れるため、鏡１１を交換することができる。
【００２９】
さらに冷陰極蛍光灯３１の交換方法は以下の通りである。
照明付き鏡装置１から、照明ユニット３を左右に引き出すと、中継コード１５と、冷陰極蛍光灯のコード３１−２と、両者を接続しているコネクタ１５−２、３１−２とが現れる。これらのコネクタ１５−２、３１−２を外し、さらにトーションばね３９のアーム３９−２を押圧することによりトーションばね３９の曲率部が挿通溝１６−１から外れる。その結果、照明ユニット３の鏡ユニット２との係合が解除され、照明ユニット３を化粧鏡１鏡ユニット２から外すことができる。
その後、透光カバー３５のビス３８を外すことにより照明ユニットホルダー３３が現れる。このホルダー３３内のランプホルダー３４から冷陰極蛍光灯３１を外すことにより、この蛍光灯３１を交換することができる。
また、蛍光灯３１の交換後、元に戻す作業はこの逆の作業を行うことになる。
【００３０】
ここで、蛍光灯３１の雌コネクタ３１−１を中継コードの雄コネクタ１５−１に接続し、その後照明ユニット３を、上枠１８及び下枠１９の照明ユニット挿入空間２１に挿入することにより、照明ユニット３を鏡ユニット２に固定することができる。ここで、照明ユニット３を上枠１８と下枠１９に挿入する際、蛍光灯３１の雌コネクタ３１−１と中継コード１５の雄コネクタ１５−１とが前記裏板１６のスライド体を押すことにより、配線をスムーズにしまうことができる。
【００３１】
（第２実施形態）
次に本発明の第２の実施形態について、図９により説明する。
ここで第１実施形態と相違する点についてのみ説明する。特に記載しない項目は第１の実施形態と同一である。
本実施形態の第１実施形態との相違点は、照明ユニット３の鏡ユニット２との接続方法が相違する点である。第１の実施形態において、照明ユニット３と鏡ユニット２とは、中継コード１５により接続され、しかも透光カバー３５の背面側に固定したトーションばね３９とで係合している。それにより照明ユニット３を、鏡ユニット２に対して左右方向のみではなく前後方向にも自由に引き出し、蛍光灯３１交換ができた。
【００３２】
本実施形態では、第１実施形態におけるトーションばね３９を、片側の照明ユニット３に３個設けている。それに伴い、裏板１６側面に設けた、トーションばね３９が係合する挿通溝１６−１を３個設けている。
その結果、鏡ユニット２から照明ユニット３を引っ張り出すに当り、トーションばね３９の係合部３９−３が挿通溝１６−１に係合しているとき、照明ユニット３が鏡ユニット２から自立することができ、手を離すことができるという新たな効果を奏する。
【００３３】
蛍光灯３１の交換方法は以下の通りである。
鏡ユニット２よりトーションばね３９のアーム３９−２の長さより短い長さだけ引き出す。そして、該アーム３９−２を上下方向に圧縮する方向へ持ち、アーム３９−２の長さ以上に引き出す。そののち、照明ユニット３のランプコード３１−１と中継コード１５を接続しているコネクタ３１−２を外す。
ここで、トーションばね３９は、照明ユニットホルダー３３に対してある程度自由度を持って結合されている。その結果、通常では、照明ユニット３を鏡ユニット２に対して左右方向に引っ張るしかないが、本実施形態では、水平方向でしかも斜め方向に開くことができる。
尚、この場合、鏡を左右方向にずらすようにすれば、蛍光灯交換に要する照明付き鏡装置同士の間隔をさらに短くすることができる。
【００３４】
（第３実施形態）
次に本発明の第３の実施形態について、図１０〜図１３により説明する。ここで第１実施形態と相違する点についてのみ説明する。特に記載しない項目は第１の実施形態と同一である。
【００３５】
図１０は第３実施形態での照明付き鏡を示す斜視図である。本実施形態の第１実施形態との相違点は、照明ユニット固定用のローレットネジ５０を追加した点である。上枠にはローレットネジ５０貫通用の穴を設けた。
【００３６】
図１１は図１０から上枠１８を取り外した状態を表わす図で、図１２は図１１の向かって左側の照明ユニット３の部分拡大図、図１３は図１１の右側の照明ユニット３の部分拡大図である。
図１２及び図１３での第１実施形態との相違点は、照明ユニット３の固定方法が相違する点である。
第１の実施形態において、照明ユニット３は、照明ユニットを下枠側に押し付ける略く字状の板ばね２２を設けている。これにより上下方向のガタつきを吸収できる。
【００３７】
本実施形態では、第１実施形態における略く字状の板ばね２２のかわりに、照明ユニット３本体の上部内側に板ばね７０を設け、ローレットネジ５０を裏板１６の上端に取り付ける。板ばね７０は２辺のなす角が鈍角の略Ｌ字形状をしており、鏡ユニット２と反対側に開口が向くように照明ユニット３本体の上部内側に取り付けられている。
照明ユニット３は上枠１８の貫通穴を通り、裏板１６に取り付けられたローレットネジ５０が板ばね７０の傾斜部分を押し、照明ユニット３を下枠側に押し付けることにより上下方向のガタつきを吸収し、さらに照明ユニット３を鏡ユニット２の方向へ引き付けられ、透光カバー３５の端面が上枠１８の端面に当たることによって固定される。
【００３８】
図１３は基本的に図１２と同様であるが、板ばね７０の取り付け方向が図１２の左側に対し左右対称になっている。これにより、図１２の左側と同じく、ローレットネジ５０が板ばね７０の傾斜部分を押し、照明ユニット３を下側へ押し付け上下方向のガタを吸収し、板ばね７０の取り付け方向が左右対称となっている為、照明ユニット３は左側とは反対方向の鏡ユニット２側へ引き付けられ、透光カバー３５の端面が上枠１８の端面に当たることによって照明ユニット３は固定される。
【００３９】
その結果、上枠の内側に板ばね２２のような突起がなくなり照明ユニット３収納スペースとして開口部が大きく取れる為、隙間が７０ミリメートルほどしかない空間でも、照明ユニット３を強く押すことなく容易に挿入でき、施工しやすいという新たな効果を奏する。
【００４０】
（第４実施形態）
次に本発明の第４の実施形態について、図１４により説明する。ここで第１実施形態と相違する点についてのみ説明する。特に記載しない項目は第１の実施形態と同一である。
【００４１】
本実施形態の第１実施形態との相違点は、照明ユニット３の鏡ユニット２との接続方法が相違する点である。第１の実施形態において、照明ユニット３と鏡ユニット２とは、中継コード１５により接続され、しかも上方は金属製のワイヤー２３、下方はトーションばね３９にて接続されていることにより、ランプ交換時に照明ユニット３を引き出した時に直接中継コード１５に張力がかからないようにすることができた。
【００４２】
図１４は第４実施形態での照明付き鏡装置の部分分解図を表す。
本実施形態では、第１の実施形態におけるトーションばね３９のかわりに、裏板１６の下方にも上方と同じワイヤーを設けている。また、照明ユニット３本体の上方のみであった落下防止金具係合部４０を下方にも設けた。ワイヤーが鏡ユニット２の外側に飛び出しており、その結果器具の左右方向に隙間が７０ミリメートルほどしかない空間でも、手前側（器具前方）で照明ユニット３との接続ができ、施工しやすいという新たな効果を奏する。
【産業上の利用可能性】
【００４３】
本発明は、商用施設や家庭の洗面所での照明付き鏡装置のほかに、家庭内の照明付き鏡に有効である。
【図面の簡単な説明】
【００４４】
【図１】本発明の第１実施形態での照明付き鏡装置を示す斜視図である。
【図２】図１に示す照明付き鏡装置の一部省略部分斜視図である。
【図３】図１に示す照明付き鏡装置の一部省略部分斜視図である。
【図４】図１に示す照明付き鏡装置の一部省略断面図である。
【図５】図１に示す照明付き鏡装置の一部省略断面図である。
【図６】本発明の第１実施形態におけるランプホルダーを示す図である。
【図７】本発明の第１実施形態におけるトーションばねを示す図である。
【図８】本発明の第１実施形態における落下防止金具係合部を示す図である。
【図９】本発明の第２実施形態での照明付き鏡装置を示す一部省略部分斜視図である。
【図１０】本発明の第３実施形態での照明付き鏡装置を示す斜視図である。
【図１１】本発明の第３実施形態での照明付き鏡装置を示す一部省略部分斜視図である。
【図１２】本発明の第３実施形態での図１１の左側の照明ユニット３の部分拡大図である。
【図１３】本発明の第３実施形態での図１１の右側の照明ユニット３の部分拡大図である。
【図１４】本発明の第４実施形態での照明付き鏡装置の部分分解図である。
【符号の説明】
【００４５】
１…照明付き鏡装置
２…鏡ユニット
３…照明ユニット
１１…鏡
１４…インバータ（電源回路）
１５…中継コード（電源側コード）
１５−３…コードフック（張力止め）
１６…裏板
１６−１…挿通金具
３１…光源
３１−１…光源側コード
３５…カバー
３９…トーションばね（スライド部材）
３９−１…ばね本体部
３９−２…アーム部
３９−３…係合部
５０…ローレットネジ
６０−１…左側照明ユニット３上方部
６０−２…右側照明ユニット３上方部    
７０…板ばね
【図１】
2007014756.tif 000003
【図２】
2007014756.tif 000004
【図３】
2007014756.tif 000005
【図４】
2007014756.tif 000006
【図５】
2007014756.tif 000007
【図６】
2007014756.tif 000008
【図７】
2007014756.tif 000009
【図８】
2007014756.tif 000010
【図９】
2007014756.tif 000011
【図１０】
2007014756.tif 000012
【図１１】
2007014756.tif 000013
【図１２】
2007014756.tif 000014
【図１３】
2007014756.tif 000015
【図１４】
2007014756.tif 000016